(57)【特許請求の範囲】
【請求項１】
商品の購入者が商品を特定し品名や値段等の商品情報を読み出し商品登録を行うセルフレジスタ装置であって、
自装置を操作する購入者に対し、前記読み出された商品情報を表示する第一表示手段と、
前記第一表示手段とは異なる方向で店員が視認できる向きを向いた第二表示手段と、
自装置に問題が発生した場合、該発生した問題に対応するエラー情報を前記第二表示手段に表示させるよう制御する制御手段と、
を備え、
前記制御手段は、前記問題が発生したと判断されない場合、前記商品が特定された際に読み出された商品情報に関する情報を前記第二表示手段に表示させることを特徴とするセルフレジスタ装置。
【請求項２】
商品の購入者が商品を特定し品名や値段等の商品情報を読み出し商品登録を行うセルフレジスタ装置であって、
自装置を操作する購入者に対し、前記読み出された商品情報を表示する第一表示手段と、
前記第一表示手段とは異なる方向で店員が視認できる向きを向いた第二表示手段と、
自装置に問題が発生した場合、該発生した問題に対応するエラー情報を前記第二表示手段に表示させるよう制御する制御手段と、
を備え、
前記制御手段は、前記自装置に問題が発生した場合、前記第一表示手段に該発生した問題の内容を表示させる為の店員のみが可能な操作を促す表示をさせ、該操作の受付手段を有し、該受付手段の受付により、前記エラー情報を第一表示手段へ表示させるよう制御することを特徴とするセルフレジスタ装置。
【発明の詳細な説明】
【技術分野】
【０００１】
本発明は、お客が自ら商品登録をするセルフレジスタ装置に関する。
【背景技術】
【０００２】
店舗においてお客が自らキャッシュレジスタ装置（金銭登録機）を操作して商品登録をするセルフレジスタ装置が既に提案されている。
【０００３】
そのようなセルフレジスタ装置でエラーが発生した場合、該エラーを店員に知らせるための技術として、エラーが発生している状態を報知するためのランプが設けられたセルフレジスタ装置が提案されている（特許文献１参照）。このようなセルフレジスタ装置は、自装置において問題が発生したことを検知した場合、ランプを点灯させることによって店員に問題の発生を報知する。また、セルフレジスタ装置と通信可能に構成され、通信を介してセルフレジスタ装置の動作状況を監視し、問題が発生した場合にはその旨を表示するための監視端末を別途設ける技術が提案されている（特許文献２参照）。これにより、店員は、セルフレジスタ装置から離れた位置で監視端末を見ることによって、セルフレジスタ装置に生じた問題を確認することができる。
【特許文献１】特開２００７−０７２５６１号公報
【特許文献２】特開平０９−１２０４８４号公報
【発明の開示】
【発明が解決しようとする課題】
【０００４】
特許文献１に記載された装置を用いることによって、店員は、ランプの点灯により問題の発生を知ることは可能である。しかしながら、店員は、どのような問題が発生したのかを判断するためには、購入者の側まで移動して、セルフレジスタ装置の購入者側に向けられた表示部に表示されたエラー内容などを見なければならなかった。そのため、問題の発生を知った店員は、一旦購入者の場所まで移動しないとエラーの内容がわからず、即座に問題への対処に移ることができなかった。従って、店員による迅速な復旧処理を実現させることが困難であった。また、特許文献２に記載された装置を用いた場合は、エラーの内容は分かるものの、セルフレジスタ装置そのものの他に監視端末を別途設ける必要があり、設置場所の確保や多額のコストを要するという問題が生じていた。
【０００５】
上記事情に鑑み、本発明は、簡単な構成で店員が迅速にセルフレジスタ装置に生じた問題の内容を把握することで迅速な問題処理を可能とするセルフレジスタ装置を提供することを目的としている。
【課題を解決するための手段】
【０００６】
本発明の第一の態様は、商品の購入者が商品を特定し品名や値段等の商品情報を読み出し商品登録を行うセルフレジスタ装置であって、自装置を操作する購入者に対し、読み出された商品情報を表示する第一表示手段と、第一表示手段とは異なる方向で店員が視認できる向きを向いた第二表示手段と、自装置に発生する問題毎に該問題を示すエラー情報を記憶する記憶手段と、自装置に問題が発生した場合、該発生した問題に対応するエラー情報を記憶手段から読み出し、該読み出されたエラー情報を第二表示手段に表示させるよう制御する制御手段と、を備えたことを特徴とする。
【０００７】
このように構成された本発明の第一の態様によれば、店員等は、わざわざ購入者がいる場所へ移動して第一表示部を確認せずとも、第二表示部を確認することによってエラー内容を把握することが可能となる。そのため、店員等が移動する手間を省くことが可能となり、迅速にセルフレジスタ装置に生じた問題の内容を把握し、処理をすることが可能となる。
【０００８】
本発明の第一の態様において、異なる方向とは、第一表示手段の向きと略反対方向であっても良い。
【０００９】
このように構成されることにより、略反対方向にいる店員等にエラー情報を報知することが可能となる。即ち、略反対方向にいる店員等がその場でエラー情報を確認することが可能となる。
【００１０】
本発明の第一の態様において、制御手段は、問題が発生したと判断されない場合、商品が特定された際に読み出された商品情報に関する情報を第二表示手段に表示させるように構成されても良い。
【００１１】
このように構成されることにより、問題が発生していないときは、商品登録された商品に関する情報が第二表示手段に表示されるため、どの商品が登録されているか、あるいは何点の商品が登録されているか等を店員がその場で把握することができるため、不正な商品登録の監視が容易となる。
【００１２】
本発明の第一の態様において、制御手段は、自装置に問題が発生した場合、第一表示手段に該発生した問題の内容を表示させる為の店員のみが可能な操作を促す表示をさせ、該操作の受付手段を有し、該受付手段の受付により、エラー情報を第一表示手段へ表示させるよう制御するように構成されても良い。
【００１３】
このように構成されることにより、エラーが発生したとき、購入者は、発生した問題の内容を表示させる為の操作を知っている店員が該操作をするまで具体的にどこに問題があるか分からない。そのため、購入者が勝手にセルフレジスタ装置に触れて更なる問題を引き起こすことを防ぐことが可能となる。
【００１４】
本発明の第二の態様は、店舗等において商品の精算をする対面式カウンタに配置され、商品の購入者が商品を特定し品名や値段等の商品情報を読み出し商品登録操作を行うセルフレジスタ装置であって、カウンタを挟んで一方側に面し、自装置を操作する購入者に対し、読み出された商品情報を表示する第一表示手段と、カウンタを挟んで他方側に面する第二表示手段と、自装置に発生する問題の判断基準と該問題を示すエラー情報とを対応付けて記憶する記憶手段と、自装置に問題が発生したと判断された場合、該発生した問題に対応するエラー情報を記憶手段から読み出し、該読み出されたエラー情報を第二表示手段に表示させるよう制御する制御手段と、を備えたことを特徴とする。
【００１５】
このように構成されることにより、カウンタを挟んで他方側にいる店員等にエラー情報を知らせることができる。そのため、店員は第一表示部の前に移動する前に、発生しているエラーを把握することができるため、迅速なエラー処置をすることが可能となる。
【発明の効果】
【００１６】
本発明により、簡単な構成で店員が迅速にセルフレジスタ装置に生じた問題の内容を把握し、処理することが可能となる。
【発明を実施するための最良の形態】
【００１７】
図１は、セルフレジスタ装置１の外観を示す図である。図２は、セルフレジスタ装置１の構成を示すブロック図である。セルフレジスタ装置１は、ＣＰＵ（Central Processing Unit）１０（制御手段）、ハードディスク部１１、ＲＡＭ（Random Access Memory）１２、第一表示部１３（第一表示手段）、第二表示部１４（第二表示手段）、スピーカ部１５、レシート印字部１６、スキャナ部１７、及びリーダライタ部１８を備える。このうち、第一表示部１３、第二表示部１４、スピーカ部１５、レシート印字部１６、及びリーダライタ部１８は、外観に現れている。
【００１８】
ＣＰＵ１０は、各種演算を実行し、演算結果に基づいてセルフレジスタ装置１の各部を制御する。また、ＣＰＵ１０は、セルフレジスタ装置１に問題が発生すると、この問題の発生を検知し、エラー内容を判断する。セルフレジスタ装置１において発生しうる問題とは、例えば、スキャナ部１７によって読み込まれたバーコードに対応する商品が商品テーブルにないこと（言い換えれば、ＰＬＵ（Price Look Up）が存在しないこと：エラーコード“０００１”に対応）や、レシート印字部１６におけるプリンタの準備ができていないこと（エラーコード“０００２”に対応）や、レシート印字部１６にセットされているレシート用紙がきれてしまったこと（エラーコード“０００３”に対応）や、スキャナ部１７によって読み込まれたバーコードに対応する商品が商品テーブルには存在するものの、その価格が０円に設定されていること（エラーコード“０００４”に対応）や、リーダライタ部１８にセットされている電子マネー記録媒体における残高金額が合計金額に対して不足していること（エラーコード“０００５”）、などであり、それらはエラーコードテーブルに予め設定されている。
【００１９】
ＣＰＵ１０は、スキャナ部１７によって読み込まれたバーコードから商品コードを取得し、この商品コードをキーとして商品テーブルを検索した際に、該当する商品コードが無い場合、ＰＬＵが存在しないという問題が発生したことを検知する。また、ＣＰＵ１０は、レシート印字部１６におけるプリンタからレディ信号を受信できない場合には、プリンタの準備ができていないという問題が発生したことを検知する。また、ＣＰＵ１０は、レシート印字部１６から用紙切れを示す信号を受信した場合には、レシート用紙がきれてしまったという問題が発生したことを検知する。また、ＣＰＵ１０は、スキャナ部１７によって読み込まれたバーコードから商品コードを取得し、この商品コードをキーとして商品テーブルを検索したときに、この商品コードに対応付けられた価格の値が“０”である場合には、売価が０であるという問題が発生したことを検知する。また、ＣＰＵ１０は、会計処理において、電子マネー記録媒体における残高金額が、購入商品の合計金額よりも少ない場合には、残高不足の問題が発生したことを検知する。ＣＰＵ１０は、このように問題を検知すると、その問題に対応するエラーコード（エラー情報）をエラーテーブルから取得し、第二表示部１４に表示させる。
【００２０】
ハードディスク部１１は、読み書き可能な大容量の記憶装置である。ハードディスク部１１は、セルフレジスタ装置１の各機能を実現するためのプログラムを記憶する。また、ハードディスク部１１は、商品テーブルを記憶する。図３は、商品テーブルの内容を示す図である。商品テーブルは、セルフレジスタ装置１が設置された店舗において取り扱う各商品について、商品コード、品名、価格（単価）等のデータを対応付けて有する。商品コードは、スキャナ部１７によって読み取られるバーコードデータが復号化された値に対応する。また、ハードディスク部１１は、エラーコードテーブルを記憶する。図４は、エラーコードテーブルの内容を示す図である。エラーコードテーブルは、エラーコード、エラー内容、判断基準、及び店員フラグを対応付けて有する。エラーコードとは、エラーの内容を示す識別情報であり、例えば４桁の数字を用いて表される。エラーコードは、その他のアルファベットや記号を用いて表されても良いし、４桁に限定される必要も無い。エラー内容は、発生した問題の内容を示す。判断基準は、ＣＰＵ１０が問題の発生を検知する際の判断基準を示す。また、店員フラグは、エラーが発生した際に店員を呼ぶ必要のあるエラーか否かを示す。“１”は店員を呼ぶ必要があることを示し、“０”は店員を呼ぶ必要がないことを示す。
【００２１】
ＲＡＭ１２は読み書き可能な記憶装置である。ＲＡＭ１２は、ハードディスク部１１からＣＰＵ１０によって読み出されたデータ等、ＣＰＵ１０が処理を行う上で利用する各種データを記憶する。図５は、ＲＡＭ１２の記憶エリアの概要を示す図である。ＲＡＭ１２は、フラグエリア、レジスタエリア、買上商品コードエリア、買上商品累積金額エリア、買上商品累積個数エリアを含む。フラグエリアは、ＣＰＵ１０が動作するためのフラグを記憶するエリアである。レジスタエリアは、レジスタとして動作するエリアである。買上商品コードエリアは、バーコードがスキャナ部１７を介して入力された商品（以下、「入力された商品」という。）夫々の商品コードを記憶するエリアである。買上商品累積金額エリアは、入力された商品の金額を累積し、その累積金額を記憶するエリアである。買上商品累積個数エリアは、入力された商品の個数を累積し、その累積個数を記憶するエリアである。
【００２２】
ＲＡＭ１２は、会計処理がリセットされた場合（第一表示部１３において「最初へ戻る」ボタンが押下された場合）や、会計処理が完了した場合（入力された商品の合計金額が電子マネーで支払われた場合）には、買上商品コードエリア、買上商品累積金額エリア、買上商品累積個数エリアにおいて記憶しているデータをクリアする。
【００２３】
第一表示部１３は、液晶ディスプレイや有機ＥＬ（organic ElectroLuminescence）ディスプレイ等の画像表示装置を用いて構成される。また、第一表示部１３は、タッチパネルとして構成される。図６は、第一表示部１３の表示例を示す図である。第一表示部１３は、購入者（セルフレジスタ装置１の操作者）であるお客が会計処理を行う上で必要となる情報を表示する。例えば、第一表示部１３は、入力された商品それぞれについて品名、価格（単価）、個数等の商品情報を、読み込まれた順に表示する。この表示は、ＲＡＭ１２の買上商品コードエリアに記憶されるデータに基づいてＣＰＵ１０によって制御される。図６は、のど飴、ガム、雑誌の順番にバーコードが読み込まれた場合の表示例である。また、第一表示部１３は、セルフレジスタ装置１を操作するための操作手順（操作ガイド）やヘルプを表示しても良い。
【００２４】
また、第一表示部１３は、入力された商品の累積個数を「買上点数」として表示する。この表示は、ＲＡＭ１２の買上商品累積個数エリアに記憶されるデータに基づいてＣＰＵ１０によって制御される。また、第一表示部１３は、入力された商品の金額の合計値を「小計」や「合計」として表示する。この表示は、ＲＡＭ１２の買上商品累積金額エリアに記憶されるデータに基づいてＣＰＵ１０によって制御される。また、第一表示部１３は、リーダライタ部１８によって、電子マネー記録媒体から読み出された残高金額を「残高」として表示する。この表示は、リーダライタ部１８が読み出した残高金額のデータをＲＡＭ１２に記録し、このデータに基づいてＣＰＵ１０によって制御される。
【００２５】
また、第一表示部１３は、タッチパネルのボタンとして、「最初へ戻る」ボタンと、「お会計」ボタンを表示する。購入者によって「最初へ戻る」ボタンが触れられると、第一表示部１３は、「最初へ戻る」ボタンが押下されたことを示す信号をＣＰＵ１０に送信する。ＣＰＵ１０は、この信号を受けて、第一表示部１３の表示を、一切の商品が入力されていない状態の表示にする。また、ＣＰＵ１０は、この信号を受けて、ＲＡＭ１２の買上商品コードエリア、買上商品累積金額エリア、及び買上商品累積個数エリアに記憶されているデータを初期化する。購入者によって「お会計」ボタンが触れられると、第一表示部１３は、「お会計」ボタンが押下されたことを示す信号をＣＰＵ１０に送信する。ＣＰＵ１０は、この信号を受けて、リーダライタ１８を介して電子マネー記録媒体から読み出された残高金額から買上商品累積金額エリアに記憶される金額を減算する。そして、ＣＰＵ１０は、リーダライタ１８を介して、電子マネー記録媒体に減算結果を新たな残高金額として書き込む。
【００２６】
また、第一表示部１３は、セルフレジスタ装置１において問題が発生した場合、ＣＰＵ１０の制御に従ってエラー表示を行う。図７は、第一表示部１３におけるエラー表示の例を示す図である。第一表示部１３は、セルフレジスタ装置１において問題が発生すると、これを検知したＣＰＵ１０の指示に従って、図７に示すエラーウィンドウ１３１を表示する。このとき、エラーウィンドウ１３１が手前のレイヤーとして表示され、図６に示される操作画面の表示は後ろのレイヤーとして表示されても良い。エラーウィンドウ１３１は、問題が発生した旨を伝える表示や、購入者に対し店員を呼ぶように促す表示を含む。また、エラーウィンドウ１３１は、確認ボタン１３２を含む。購入者によって確認ボタン１３２が触れられると、第一表示部１３はこのことを検知し、確認ボタン１３２が押下されたことを示す信号をＣＰＵ１０に送信する。ＣＰＵ１０は、この信号を受けて、図１２に示すように該当するエラーを表示する。そして、ＣＰＵ１０は、セルフレジスタ装置１に発生した問題が解決されていない場合は、たとえ第一表示部１３においてエラーウィンドウ１３１を閉じたとしても、購入者による会計処理の操作を受け付けない。
【００２７】
第二表示部１４は、７セグメントディスプレイの表示装置を用いて構成される。図１に示されるように、第二表示部１４は、第一表示部１３の表示面と略反対方向（第一表示部１３の背面に面するように）に表示面を有する。図８は、第二表示部１４の表示例を示す図である。第二表示部１４は、直前にスキャナ部１７を介して入力された商品の個数と金額とを表示する。図８の場合は、第二表示部１４は、入力された商品の個数が“１”であり、金額が“１００”円（商品に関する情報）であることを表示している。そして、次の商品のバーコードがスキャナ部１７によって読み取られると、その個数、金額が加算されて表示され、商品登録中の買上商品累積個数、買上商品累積金額等の、商品に関する情報が表示される。
【００２８】
なお、第二表示部１４は、７セグメントディスプレイに限らず、ＬＥＤディスプレイや液晶ディスプレイ等の表示装置であっても良い。また、第二表示部１４は、装置本体と一体ではなく別体で、第二表示部１４の向きは第一表示部１３と略反対方向でなく、第一表示部１３より、例えば１５０度〜２１０程度ずれていても良い。つまり、カウンタ越しの店員が第二表示部１４の表示を視認することができれば良い。
また、第二表示部１４は、セルフレジスタ装置１において問題が発生した場合、これを検知したＣＰＵ１０の指示に従ってエラー表示を行う。図９は、第二表示部１４におけるエラー表示の例を示す図である。第二表示部１４は、セルフレジスタ装置１において問題が発生すると、これを検知したＣＰＵ１０の指示に従って、エラーコードを表示する。ＣＰＵ１０は、セルフレジスタ装置１において問題が発生すると、この問題の内容を判断し、エラーテーブルから該当するエラーのエラーコードを読み出す。そして、ＣＰＵ１０は、このエラーコードを第二表示部１４に表示させるように制御を行う。例えば、入力された商品の価格が、商品テーブルにおいて０円となっている場合、ＣＰＵ１０はこれを検知し、エラーテーブルからエラーコード“０００４”を読み出す。そして、図９に示されるように、第二表示部１４は“ＥＲＲＯＲ”の文字とともに、エラーコード“０００４”を表示する。また、第二表示部１４は、液晶ディスプレイやＬＥＤディスプレイ等を用いて大型な表示部として構成される場合、取引でお客が商品登録した商品全てを順に表示しても良い。
【００２９】
スピーカ部１５は、スキャナ部１７でバーコードが正常に読み込まれた際に、その旨を伝える効果音を発する。また、スピーカ部１５は、セルフレジスタ装置１において問題が発生した場合に、これを検知したＣＰＵ１０の制御に基づいてエラー音を発する。
【００３０】
レシート印字部１６は、印字機能を有する。レシート印字部１６は、ＣＰＵ１０の指示に従い、所定のレシート用紙上に購入商品の明細を印字する。レシート印字部１６は、インクを使用して印字を行っても良いし、感熱紙を利用するなどインクを使用しない方法によって印字を行っても良い。
【００３１】
スキャナ部１７は、バーコードスキャナを用いて構成される。スキャナ部１７は、商品に付されているバーコードを読み取る。スキャナ部１７は、バーコードを読み取ると、読み取ったデータを復号化し、ＣＰＵ１０へ送信する。
【００３２】
リーダライタ部１８は、近距離（通信可能な距離）に位置する電子マネー記録媒体から残高金額を読み出す。また、リーダライタ部１８は、電子マネー記録媒体に対し、ＣＰＵ１０によって新たに算出された残高金額を書き込む。電子マネー記録媒体は、電子マネーとしての残高金額のデータを記憶するＩＣチップを内部に有するＩＣカードや携帯電話端末等である。
【００３３】
図１１は、セルフレジスタ装置１の配置例を示す図である。例えば、コンビニエンスストア等の小売店の対面式の精算カウンタにセルフレジスタ装置１と、店員が商品登録する通常のキャッシュレジスタとが並んで配置される。そして、カウンタ越しにいる店員は通常のキャッシュレジスタ装置を操作する為に居るが、第二表示部１４の表示面は、店員の位置する側に向けて配置される。そのため、セルフレジスタ装置１に問題が発生した場合、店員は、カウンタ等を越えてわざわざ第一表示部１３を確認しに移動することなく、第二表示部１４を確認することによってエラー内容を把握することが可能となる。また、エラーが発生していないとき、店員は第二表示部１４を見ることで、買上商品累積個数や買上商品累積金額等を把握することができるので、お客により不正な商品登録がされていないか確認することも可能になる。
【００３４】
購入者は、セルフレジスタ装置１を用いて会計処理を行う場合、第一表示部１３を見ながら操作を行う。セルフレジスタ装置１に問題が発生してしまった場合、第一表示部１３とは略反対方向に表示面を有する第二表示部１４にエラーコードが表示される。そのため、購入者とは異なる場所に位置する店員は、わざわざカウンタ等を越えて購入者の元へ移動し第一表示部１３を見ることなく、第二表示部１４を見ることによってエラー内容を把握することが可能となる。
【００３５】
より具体的には、セルフレジスタ装置１は以下のような効果を奏する。例えば、エラー内容が「レシート用紙がきれています。」であった場合、従来は店員が購入者の場所へ移動して購入者側の表示部に表示されるエラー情報を見ることでエラーの内容を把握し、その後にレシート用紙を所定の場所へ取りに行き、再度セルフレジスタ装置の場所を訪れて対応しなければならなかった。しかしながら、例えば第二表示部１４に表示されたエラーコードが“０００３”であった場合、店員はエラーコードの内容を覚えているか又は印刷されたエラーコード表などを確認することによって、店員はその場でエラー内容が「レシート用紙がきれていること」であると把握できるため、予めレシート用紙を準備してからセルフレジスタ装置１の位置に移動して、迅速にレシート用紙を補給することができる。このように、セルフレジスタ装置に店員が視認できる表示部を設け、該表示部に各エラーを識別できるエラー情報を表示することで、簡単な構成で、店員が迅速にセルフレジスタ装置で発生しているエラーの内容を把握することができ、エラーに対処することが可能となる。
【００３６】
なお、第二表示部１４を見て問題に対処する主体は、セルフレジスタ装置１の隣に位置するキャッシュレジスタ装置を操作する店員に限定されることなく、例えば、カウンタ越しにいる店長やその他操作補助人などの店員であっても良い。いずれにせよ、セルフレジスタ装置１によれば、問題に対処する人物が、わざわざ購入者の位置に移動して第一表示部１３を見る必要なく、購入者とは異なる位置から第二表示部１４を見て問題に迅速に対処することができる。
【００３７】
次に、セルフレジスタ装置１に問題が発生した場合の動作例について説明する。図１０は、セルフレジスタ装置１に問題が発生した場合の動作例を示すフローチャートである。ＣＰＵ１０は、問題が発生したことを検知すると、会計処理を停止する（Ｓ０１）。会計処理の停止とは、新たにスキャナ部１７を用いたバーコードの入力の受け付けを行うことを停止することや、第一表示部１３における「最初へ戻る」ボタンや「お会計」ボタンの押下に伴う処理を停止することや、リーダライタ１８が電子マネー記録媒体に対し残高金額を読み出すことや書き込むことなどを停止することなどである。ＣＰＵ１０は、会計処理を停止しても、セルフレジスタ装置１の復旧に係る操作は受け付ける。復旧に係る操作とは、エラー内容の詳細を第一表示部１３に表示させる操作や、セルフレジスタ装置１を再起動させる操作などである。このとき、ＣＰＵ１０は、スピーカ部１５に、エラー音を再生させる（Ｓ０２）。
【００３８】
ＣＰＵ１０は、発生した問題に対応するエラーコードを、エラーコードテーブルから判断基準に基づき読み出す（Ｓ０３）。ＣＰＵ１０は、読み出されたエラーコードを、第二表示部１４に表示させる（Ｓ０４）。つまり、問題が発生する前までに商品登録された商品に関する情報、即ち買上商品累積個数や買上商品累積金額が表示されていた第二表示部１４の表示を、エラーコードの表示に切り替える。また、ＣＰＵ１０は、図７に示すエラーウィンドウ１３１を第一表示部１３に表示させる（Ｓ０５）。
【００３９】
ＣＰＵ１０は、確認ボタンが押下されたか否かについても判断する（Ｓ０６）。ＮＯの場合は判断を繰り返す。確認ボタンが押下された場合、つまりＹＥＳの場合、ＣＰＵ１０は、第一表示部１４においてエラーウィンドウ１３１を閉じる（Ｓ０７）。ＣＰＵ１０は、発生した問題が解決したか否かを判断する（Ｓ０８）。ＮＯの場合は判断を繰り返す。ＹＥＳの場合、つまり発生した問題が解決されると、ＣＰＵ１０は、Ｓ０１の処理で停止していた会計処理を再開する（Ｓ０９）。
【００４０】
〔変形例〕
図１２は、エラーウィンドウ１３１の表示内容の第一変形例を示す図である。ＣＰＵ１０は、第一表示部１３におけるエラーウィンドウ１３１として、エラーの内容や、エラーコードを表示させても良い。ＣＰＵ１０は、図７の確認ボタン１３２が押下されると、図１２のようなエラーウィンドウ１３１を表示させるようにする。このように構成されることにより、購入者も第一表示部１３を目視することによってエラーの内容やエラーコードを把握することが可能となる。
【００４１】
図１３は、エラーウィンドウ１３１の表示内容の第二変形例を示す図である。ＣＰＵ１０は、第一表示部１３において、図７に示されるエラーウィンドウ１３１を表示させ、図７の確認ボタン１３２が押下されると、さらに第一表示部１３において図１３に示されるようにエラーを表示させるためのパスワード入力ボックス１３３（受付手段）を表示するようにしても良い。ＣＰＵ１０は、パスワード入力ボックス１３３に正しいパスワードが入力されなければ、図１２のようにエラーの内容を示すエラーウィンドウ１３１を表示させない。
【００４２】
このように構成されることにより、エラーに対処できない購入者がエラー解除の為にセルフレジスタ装置１に勝手に触れることを防ぐことができる。なお、店員は、パスワードに代えて、各店員に配布されている店員証などに記載されているバーコード（店員識別情報などを含むバーコード）をスキャナ部１７によって入力（受付手段）しても良い。
【００４３】
図４に示すように、各エラーコードに対し、さらに店員フラグを対応付けても良い。店員フラグは、店員による対応が必要であるか否かを示すデータである。図１４では、店員による対応が必要なエラーコードには“１”が、店員による対応が不要なエラーコードには“０”が対応付けられている。
【００４４】
ＣＰＵ１０は、発生した問題に対応する店員フラグが“１”である場合に図７に示される店員をお呼びくださいという旨を示すエラーウィンドウ１３１を第一表示部１３に表示させ、店員フラグが“０”である場合には図７の表示もせず、直接図１２に示すエラーの内容を示すエラーウィンドウ１３１を第一表示部１３に表示させるように制御を行っても良い。つまり、例えば、エラーコードが０００５の残高不足のエラー（店員フラグが“０”）である場合は、わざわざ店員を呼ぶまでのエラーではないので、図７の表示はせず、直接エラーの内容を示す表示をさせても良い。尚、この場合、第二表示部１４にはエラーコード０００５を表示させることで、お客がエラーの処理に時間がかかる場合、店員がお客の元へ行くことができる。また、商品コードの取得は、必ずしもスキャナ部によりバーコードが読み取られることによって実現される必要はなく、バーコードを付することができない商品は第一表示部１３のタッチパネルに商品を選択可能に設定しておいても良い。
【００４５】
第一表示部１３は、必ずしもタッチパネルとして構成される必要は無く、入力装置が別体に構成されても良い。この場合、第一表示部１３は入力機能を有しない画像表示装置として構成される。そして、セルフレジスタ装置１は、「最初へ戻る」ボタンや「お会計」ボタンに相当する入力装置を有する。このような入力装置は、例えばマウスなどのポインティングデバイスや、キーボードやテンキーや専用ボタンなどを用いて構成される。なお、このような入力装置は、第一表示部１３を目視しながら操作可能な箇所に設けられる。例えば、このような入力装置は、第一表示部１３の上下左右の近傍に設けられても良い。また、このような入力装置は、コードや無線通信装置によってセルフレジスタ装置１に接続された入力装置として、操作するための場所が限定されることなく自由に決定可能な入力装置として設けられても良い。
【００４６】
第二表示部１４は、必ずしも第一表示部１３と略反対方向に設けられる必要は無く、店員が視認しやすくなる方向にその表示面が設けられればよい。例えば図１１にて店員が位置する方向に、第二表示部１４のみが傾いて配置されても良い。つまり第二表示部１４は、セルフレジスタ装置１の配置状況や店員の位置に応じて、その向きを自在に変更できるように構成されても良い。
【００４７】
レシート印字部１６は、セルフレジスタ装置１に問題が発生している場合、エラーコードやエラー内容を印字しても良い。この場合、レシート印字部１６は、エラーウィンドウ１３１の確認ボタン１３２が押下されることをトリガーとして、エラーコードやエラー内容の印字を行っても良い。このように構成されることにより、購入者はセルフレジスタ装置１の復旧を行うことができる者に対し、印字されたレシートを渡すことによって問題の内容を伝えることが可能となる。
【００４８】
また、セルフレジスタ装置１は、電子マネーによる決済ではなく、現金やクレジットカードやデビットカード等の他の方法による決済を行うことも可能となるように構成されても良い。
また、スキャナ部１７が入力の対象とするのはバーコードに限られず、各商品の識別情報（商品コード）を含むものであれば、どのような実装がなされても良い。
【００４９】
上述した実施形態では、第二表示部１４に、エラーの内容として、エラーコードテーブルに記憶されているエラーコードを表示するようにしたが、コードに限らず７セグメントディスプレイにて文字で表示しても良い。例えば、エラーコード０００３は「レシート用紙がきれています。」というエラーであるため、例えば「ＰＡＰＥＲ」と表示するようにしても良い。
【００５０】
また、第二表示部１４が液晶ディスプレイ等を用いて構成される場合には、エラーコードではなく、文字や画像を用いて直接的にエラーの内容を表示するようにしても良い。
また、上述した実施形態では電子マネーカードによる決済方式であったが、これに限らず自動釣銭釣札機をセルフレジスタ装置１に接続し、現金での精算を採用しても良い。
【００５１】
また、上述した実施形態ではお客が商品登録をして、更に例えば電子マネーカードによる決済までをする説明であったが、商品登録までをお客が実行し、該登録したバーコードを印字したレシートをセルフレジスタ装置１から発行し、お客は該レシートを持参し店員がいるＰＯＳレジスタで精算のみを行うようにしても良い。
また、問題が発生していないときは、第二表示部１４には商品登録した商品に関する情報を表示させるようにしたが、これに限らず、無表示であっても良い。
【００５２】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００５３】
【図１】セルフレジスタ装置の外観を示す図である。
【図２】セルフレジスタ装置の構成を示すブロック図である。
【図３】商品テーブルの内容を示す図である。
【図４】エラーコードテーブルの内容を示す図である。
【図５】ＲＡＭの記憶エリアの概要を示す図である。
【図６】第一表示部の表示例を示す図である。
【図７】第一表示部におけるエラー表示の表示例を示す図である。
【図８】第二表示部の表示例を示す図である。
【図９】第二表示部におけるエラー表示の表示例を示す図である。
【図１０】問題発生時のセルフレジスタ装置の動作例を示すフローチャートである。
【図１１】セルフレジスタ装置の配置例を示す図である。
【図１２】エラーウィンドウ１３１の表示内容の第一変形例を示す図である。
【図１３】エラーウィンドウ１３１の表示内容の第二変形例を示す図である。
【符号の説明】
【００５４】
１…セルフレジスタ装置，  １１…ハードディスク部，  １２…ＲＡＭ，  １３…第一表示部，  １４…第二表示部，  １５…スピーカ部，  １６…レシート印字部，  １７…スキャナ部，  １８…リーダライタ部，  １３１…エラーウィンドウ１３１，  １３２…確認ボタン，  １３３…パスワード入力ボックス
【図１】
0005245480.tif 000002
【図２】
0005245480.tif 000003
【図３】
0005245480.tif 000004
【図４】
0005245480.tif 000005
【図５】
0005245480.tif 000006
【図６】
0005245480.tif 000007
【図７】
0005245480.tif 000008
【図８】
0005245480.tif 000009
【図９】
0005245480.tif 000010
【図１０】
0005245480.tif 000011
【図１１】
0005245480.tif 000012
【図１２】
0005245480.tif 000013
【図１３】
0005245480.tif 000014